(57)【要約】【課題】屋外の昼と夜のように周囲の明るさが大きく変化したり、日陰や、車のライト、などによるスクリーン周辺照度が不均一になってしまったりする環境において、スクリーン上の表示画像の視認性を大幅に向上させることが可能な画像表示装置を提供する。【解決手段】画像表示装置の筐体の周囲の照度を検出する照度センサ７ａ，７ｂ，７ｃ，７ｄと、その検出照度に相当するデータに変換する検出照度判別部４１と、時刻を検出する時計９と、２個の光源３１ａと３１ｂと、その光源を制御する光源制御部３７と、検出照度判別部４１と時計９の結果をもとに光源制御部３７へ目標とする本装置の画像輝度の情報を渡すマイコン４２とを備えた。【選択図】図３
2011069941.tif 000002
【特許請求の範囲】
【請求項１】
光源と、前記光源の光を変調する光変調デバイスからなる画像表示手段と、前記画像表示手段により投写した投写画像を表示するスクリーンと、周囲の照度を検出する照度検出手段と、時計とを有する画像表示装置であって、前記照度検出手段と前記時計の情報を用い、前記投写画像の輝度を制御する画像輝度制御手段とを具備したことを特徴とする画像表示装置。
【請求項２】
画像輝度制御手段は、照度検出手段による検出情報を処理する検出照度判別部と、輝度制御処理部とを具備し、時計と、前記検出照度判別部のデータをもとに、前記輝度制御処理部の処理を行うことを特徴とする請求項１記載の画像表示装置。
【請求項３】
輝度制御処理部は、照度検出手段から２か所以上の照度を検出し、その取得照度に相当するデータと閾値照度に相当するデータとの比較を行うことを特徴とする請求項２記載の画像表示装置。
【請求項４】
閾値照度に相当するデータは、時計による時刻によって変化することを特徴とする請求項３の画像表示装置。
【請求項５】
時計は日付を認識する機能を備えたことを特徴とする請求項１〜４のいずれか１項に記載の画像表示装置。
【発明の詳細な説明】
【技術分野】
【０００１】
本発明は、屋外に設置する画像表示装置に関するもので、詳しくは、屋外の照度に適したスクリーン上の表示画像の視認性を大幅に向上させるとともに、夜間における消費電力を低減させる投写型の画像表示装置に関わる。
【背景技術】
【０００２】
近年、画像表示装置の大型化、高輝度化、高精細化の進展とネットワーク環境の普及に伴って、従来の街灯ポスターなどに代わり、映像媒体による電子広告の配信ビジネスが急速に拡大している。街頭ポスターでは広告内容を変更するたびにポスターの貼り替え作業等が発生するが電子広告では配信サーバのコンテンツを変更するのみで瞬時に広告内容の変更が可能となり有用な広告媒体として注目されている。
【０００３】
電子広告では不特定多数の視聴者を対象に、大型の画像表示装置を屋外の公共の場所などに設置して使用する。映像を室内で利用する場合と異なり、屋外広告に利用する場合には、高精細度かつ高輝度の表示画像が不可欠の要件であるなど、大型画面における表示品質の確保が最も重要な課題となる。
【０００４】
大型画面を表示する場合には、液晶ディスプレイやプラズマディスプレイ、ＬＥＤなどの表示装置により直接大画面表示を行う方法と、プロジェクタにより画像情報を拡大投写して表示する方法を利用することができる。
【０００５】
このうち、ＬＥＤを用いた表示装置は、高輝度の画像を提供することができるが、画素ピッチが粗いため、高精細にしようとすると、画面サイズを大きくしなければならず、結果として高コストになっていた。また、画面の大画面化に伴い、消費電力も増加する。
【０００６】
液晶ディスプレイやプラズマディスプレイを使用する方法は、高精細の画像を提供することができるが、通常、屋外用ディスプレイでは輝度が不十分であり、高輝度を得ようとすると消費電力が極めて大きくなるという問題がある。さらにこれらの直視型のディスプレイは、パネル部分が直射日光に曝されると、パネル内部に近接して配置されているディスプレイ構成素子の温度が上昇し、性能が劣化する。
【０００７】
一方、プロジェクタを利用する方法は、ミラーを介して映像を透過型スクリーンへ投写する背面投写型(リア型)プロジェクタまたは、映像を直接反射型スクリーンに投写する前面投写型(フロント方式)プロジェクタの２つの方式が利用可能であり、投写ユニットがスクリーンから離れて設置されるため、直視型のディスプレイに比べて、直射日光の影響を低減することが可能である。
【０００８】
特許文献１，２には、従来の屋外の電子広告等に使用する画像表示装置として、投写型プロジェクタを利用する例が開示されている。
【０００９】
しかしながら、プロジェクタを屋外において使用する場合には、直射日光が直接投写スクリーンに照射する昼間とそうでない夜間とでは、スクリーンの明るさが大きく変化する。また同じ昼間であっても屋外においては、天候をはじめ視認性に影響を与える種々の環境変化が予想される。そのような状況においても良好な視認性を確保することが強く求められる。
【００１０】
また、夜間において、昼間でも十分に視認性を確保できる明るさで画像を表示させることは、まぶしさによる視認性低下及び、消費電力増加の原因となる。
【００１１】
特許文献３〜６には、プロジェクタ等の画像表示装置の表示画面の視認性を向上する例として、周囲に照度センサ等の周囲照度検出手段を備え、照度センサの検出照度に応じて輝度、コントラスト、色度などを補正する発明が開示されている。
【先行技術文献】
【特許文献】
【００１２】
【特許文献１】特開２０００−２９８３１１号公報
【特許文献２】特開２００１−２０９１２５号公報
【特許文献３】特開２００１−１０９４３４号公報
【特許文献４】特開２００３−２９２０３号公報
【特許文献５】特許第３７１４８５６号公報
【特許文献６】特開２００８−３１３７号公報
【発明の概要】
【発明が解決しようとする課題】
【００１３】
しかしながら、上記特許文献に示された従来技術は、直射日光が照射する昼間と夜間などのように大きく明るさが変わる環境で、視認性の確保を考慮したものであるが、日陰や車のライト等によるスクリーンの明るさ変化が生じる環境において、視認性維持は困難であった。例えば、昼間においてスクリーンに日射があたり、画像の明るさが求められる状況において、局所的な日影が照度センサを覆い、検出照度が低下したりすることで、表示画像は暗くなり視認性低下を招く。
【００１４】
また夜間のような、周囲が暗く、画像の明るさが求められない状況において、照度センサに車のライトや、街灯が照射すると、検出照度が大きくなる結果、表示画像が不必要に明るくなり、視認性低下及び消費電力増加を招いてしまう。従来技術においては、このような環境に対して十分な検討がなされていなかった。
【００１５】
本発明は、上記課題を解決するためになされたものであり、屋外の昼と夜のように周囲の明るさが大きく変化したり、局部的あるいは一時的に明るさが変化したりすることによって誤動作する環境において、スクリーン上の表示画像の視認性を大幅に向上させることができるとともに、夜間の過剰な高輝度化を避けて、夜間の消費電力を低減させることが可能な画像表示装置を提供することを目的とする。
【課題を解決するための手段】
【００１６】
上記目的を達成するために、本発明の画像表示装置は、
光源と、前記光源の光を変調する光変調デバイスからなる画像表示手段と、前記画像表示手段により投写した投写画像を表示するスクリーンと、周囲の照度を検出する照度検出手段と、時計とを有する画像表示装置において、前記照度検出手段と前記時計の情報を用い、前記投写画像の輝度を制御する画像輝度制御手段とを具備したことを特徴とする。
【００１７】
このような構成により、夜間の車のライトや、日陰などの外乱による局所的な明るさ変化が発生する状況においても、周囲の明るさに対して適切な画像の輝度を保つことができ、画像の視認性を向上させることができるとともに、夜間の消費電力を改善することができる。
【００１８】
また前記画像輝度制御手段は、前記照度検出手段による検出情報を処理する検出照度判別部と、輝度制御処理部を具備し、前記時計と、検出照度判別部のデータをもとに、前記輝度制御処理部の処理を行うことを特徴とする。このような構成により、時刻と画像表示装置の周囲の明るさによって、細かい輝度制御を行うことができるため、より、周囲環境の明るさに応じて、適した視認性が確保できる。
【００１９】
また前記輝度制御処理部は、前記照度検出手段から２か所以上の照度を検出し、その取得照度に相当するデータと閾値照度に相当するデータとの比較を行うことを特徴とする。このような構成により、広範囲の照度を確保できるため、局所的な外乱によって、不必要に画像を明るくしたり、暗くしたりすることを防止でき、視認性が向上する。
【００２０】
前記閾値に相当するデータは、前記時計による時刻によって変化することを特徴とする。このような構成により、時刻によって予想されるスクリーンの照度と、画像装置が検出した周囲の照度とを比較できるため、外乱による照度変化を推定することができる。
【００２１】
前記時計は日付を認識する機能を備えることを特徴とする。このような構成により、時刻に応じた日射量の変化に加え、季節に応じた日射時間の変化を考慮して、周囲の照度を予測できるため、より照度予測が正確になり、予想される周囲の照度と、画像装置が検出した周囲の照度とを比較することで、外乱による照度変化の推定がより正確にできる。
【発明の効果】
【００２２】
本発明によれば、屋外の昼と夜のように周囲の照度が大きく変化したり、日射の影、街灯、車のライト等による外乱によってスクリーンの照度が変化したりすることがある環境において、スクリーン上の表示画像の視認性を大幅に向上させるとともに夜間の消費電力を低減させることが可能な画像表示装置を提供することができる。
【図面の簡単な説明】
【００２３】
【図１】本発明の実施の形態１における画像表示装置の外観を示す斜視図
【図２】同画像表示装置の構成を示す図
【図３】同画像表示装置の内部構成を示すブロック図
【図４】同画像処理装置の筺体マイコンユニットの内部構成を示すブロック図
【図５】本発明の実施の形態１における画像処理装置の画像輝度制御を行うフローチャート
【図６】本発明の実施の形態２における画像処理装置の画像輝度制御を行うフローチャート
【図７】本発明の実施の形態２における時刻と照度閾値の関係を示す図
【発明を実施するための形態】
【００２４】
以下、本発明の実施の形態について図面を参照しながら詳細に説明する。
【００２５】
（実施の形態１）
図１は、本実施の形態における画像表示装置１の外観を示す斜視図、図２は、画像表示装置１の構成を示す図である。
【００２６】
画像表示装置１は、図１に示すように筺体２の前面にスクリーン６を備える。
【００２７】
また画像表示装置１は、図２に示すように筺体２の内部に画像表示手段としての投射型のプロジェクタユニット３、窓４、ミラー５、透過型のスクリーン６および、画像表示装置１の画像輝度制御手段として、筺体マイコンユニット８を備え、さらに、筐体２の前面のスクリーン６の各角付近に、太陽の直射を防止する遮光フード２ａ、２ｂ、２ｃ、２ｄを設け、各内部に画像表示装置１の周囲の明るさを検出する照度検出手段として照度センサ７ａ、７ｂ、７ｃ、７ｄを備えている。
【００２８】
プロジェクタユニット３から出力された画像情報を窓４およびミラー５を経由してスクリーン６に投射することにより、画像を大画面で表示する機能を発揮することができる。プロジェクタユニット３にはパソコンなどの情報処理装置（図示せず）が接続されて、情報提供サービスに必要な画像情報を蓄積し、または通信回線を介して外部から画像情報を入手することができる。
【００２９】
また、筐体２内部には時計９が備えられ、筺体マイコンユニット８は時計９及び、照度センサ７ａ、７ｂ、７ｃ、７ｄから検出した情報をもとに、プロジェクタユニット３の光源輝度を後述のように制御する。
【００３０】
図３は、本画像表示装置１の内部構成を示すブロック図である。
【００３１】
プロジェクタユニット３は、２個の光源ランプ３１ａ、３１ｂからの出力光を合成する光合成部３０、ＤＭＤ（ディジタル  マイクロミラー  デバイス）などの画像表示素子を備えた表示デバイス部３５、光合成部３０からの出力光を表示デバイス部３５に伝搬する集光部３４、集光部３４によって集光された光を画像信号により変調するデバイス駆動部３８、各種フォーマット（コンポジットビデオ、Ｓビデオ、ＹＰｂＰｒ、ＲＧＢ）の入力画像信号を画像処理に適したフォーマット（３原色ＲＧＢ）に変換処理等を行う画像入力部３９、画像入力部３９からの３原色ＲＧＢ信号を受けて表示デバイス３５を駆動するための所定の画像処理を実行する画像処理部４０、表示デバイス部３５からの出力光をミラー５を経由してスクリーン６に投写する投写部３６を備えている。
【００３２】
光源制御部３７は筺体マイコンユニット８による処理結果を受け、光源ランプ３１ａ、３１ｂの点灯／消灯の制御や、光源ランプ３１ａ、３１ｂの発光強度を制御する。すなわち、周囲が暗いときには、輝度を下げ、周囲が明るい時には輝度を上げることによりスクリーン６上の表示画面の視認性を向上できる。
【００３３】
それぞれの光源３１ａ、３１ｂは断面形状が楕円面である凹面鏡の内部に配設されている。光源には超高圧水銀灯を使用し、凹面鏡には、ガラス製機材の内面に赤外光を透過させ可視光を反射させる誘電体光学多層膜が形成されている。
【００３４】
光源ランプ３１ａ、３１ｂからの出力光は、凹面鏡によってそれぞれ集光され、合成プリズム３２で合成された後、集光レンズ３３を経由して集光部３４に入射する。
【００３５】
集光部３４は、集光レンズ（図示せず）およびミラー（図示せず）などを備え、光合成部３０からの出力光の進行径路を整えて表示デバイス部３５に伝搬する。
【００３６】
表示デバイス部３５は、全反射プリズム（図示せず）および画像表示素子としての反射型ライトバルブであるＤＭＤ（図示せず）を備え、投写画像を形成する。ＤＭＤは、画素ごとにミラー素子がマトリックス状に配列され、映像信号に応じて光の進行方向を変調し、反射角の変化として光学画像を形成することができる。
【００３７】
表示デバイス部３５で形成された光学画像は投写部３６に出力され、投写部３６の投射レンズにより、ミラー５で屈曲されスクリーン６に投写される。
【００３８】
図４は、筺体マイコンユニット８の内部構造を示す図である。検出照度判別部４１は照度センサ７ａ，７ｂ，７ｃ，７ｄが検出したアナログの照度を、アナログ−デジタル変換回路によりデジタルデータに変換する。マイコン４２はその変換されたデジタルデータと、時計９の検出時刻に応じて推測される照度のデジタルデータとを比較することによって、比較結果に応じた適切な画像輝度目標値に相当するデジタルデータを決定し、光源制御部３７である光源制御用のマイコンへ通信して渡す。このように時計９を使用し、その時刻の情報を加えて画像輝度を調整することにより、昼間や深夜などの環境の変化に応じた輝度の制御を行うことができ、視認性が向上する。
【００３９】
次に、本実施の形態における画像表示装置１の周囲の明るさの変化に対して良好な視認性を確保するための動作を、図５、表１、表２を用いて説明する。
【００４０】
図５は本実施の形態における画像表示装置１のマイコン４２における制御フローチャート図である。
【００４１】
ステップＳ１において、時計９から検出した時刻と、あらかじめ設定された昼と夜の時刻とを比較し、昼間と夜間の判別を行う。例えば６時〜１８時を昼間、０時〜６時及び１８時〜２４時を夜間であると設定していれば、検出時刻が１２時の場合、ステップＳ２の昼モードに遷移し、２０時の場合はステップＳ６の夜モードに遷移する。
【００４２】
まず、ステップＳ２の昼モードの場合を説明する。ステップＳ２に遷移後、ステップＳ３において、光源３１ａ、３１ｂの点灯状態（３１ａ、３１ｂを共に点灯しており、表示画像の輝度を大きくしている状態を以下「２灯モード」と呼び、片方のみを点灯しており、表示画像の輝度を低くしている状態を以下「１灯モード」と呼ぶ）を決定するために、スクリーン周辺の照度をもとに輝度制御判別を行い、ステップＳ４の「２灯モード」又は、ステップＳ５の「１灯モード」に遷移し、各モードに応じて３１ａ、３１ｂの点灯状態を表すデジタルデータを光源制御部３７へ出力する。ステップＳ６の夜モードに遷移した場合も同様に、ステップＳ７の輝度制御判別を通じてステップＳ８の「２灯モード」又は、ステップＳ９の「１灯モード」へ遷移し、光源制御部３７へデジタルデータを出力する。
【００４３】
ステップＳ３、Ｓ７の輝度制御判別の詳細を表１に示す。表１、表２は４つの照度センサの検出照度の組み合わせに応じて、遷移するモード（１灯モード／２灯モード）を割り当てた表であり、表１は昼間の場合、表２は夜間の場合の表である。
【００４４】
【表１】
2011069941.tif 000003
【００４５】
【表２】
2011069941.tif 000004
【００４６】
各照度センサの検出照度は検出照度判別部により、デジタルデータ８ｂｉｔ（以下「ＤＡＣ値」と呼ぶ）、つまり２５６段階に変換されており、マイコン４２はあらかじめ設定された照度の閾値に相当するＤＡＣ値と、各照度センサの検出照度に相当するＤＡＣ値の大小を比較する。
【００４７】
例えば、閾値照度のＤＡＣ値が１２８（１０００ルクス相当）で検出照度の大小を比較する場合、照度センサ７ａの検出照度のＤＡＣ値が０〜１２７（１０００ルクス以下）ならば、閾値よりも検出照度が小さいため、マイコン４２は照度センサ７ａの周囲は暗い（表１では「Ｌ」と表記）と判断し、逆に検出照度のＤＡＣ値が１２８〜２５５（１０００ルクス以上）ならば、閾値よりも検出照度が大きいため、マイコン４２は照度センサ７ａの周囲は明るい（表１では「Ｈ」と表記）と判断する。
【００４８】
このように、各照度センサ周辺の明るさを２値で明暗を判断するとすれば、４つの照度センサ７ａ，７ｂ，７ｃ，７ｄの判定結果の組み合わせは１６通りあり、この１６通りのパターンにおけるスクリーンの状況を想定し、遷移するモードを昼間、夜間等の時間帯に応じて設定しておけば、精度よく輝度制御を行うことができるようになる。
【００４９】
例えば、表１においてパターン２では、日射がある状態で、障害物等による影によって、照度センサ７ｂでは暗くなっていると考えられるが、スクリーン上で照度が１０００ルクスよりも高い部分の面積が大きいと考えられるため、画面の輝度は大きい状態が有効と考えられ、「２灯モード」に遷移させる。
【００５０】
夜モードのパターン１５では、照度センサ７ａの周辺が、街灯や車のライト等によって、曝されていることが予想されるが、スクリーン上で照度が１０００ルクスよりも低い部分の面積が大きいと考えられるため、画像の輝度を下げることが有効と考えられ、「１灯モード」に遷移させる。これにより夜間における無駄な高輝度化を防止することができるとともに、無駄な消費電力を省くことができる。
【００５１】
（実施の形態２）
次に本発明の実施の形態２について説明する。画像表示装置１の内部構成は、実施の形態１と同じである。但し、実施の形態１では、マイコン４２の処理として、照度センサ７ａ、７ｂ、７ｃ、７ｄによって検出される各照度をある閾値と大きさを比較し、各照度センサとの判別結果の組み合わせに当てはまるモードに遷移してから、ランプ点灯個数を切り替え、時計９による時刻に応じて表示画像の輝度を「１灯モード」、「２灯モード」を切り替えることにより設定したが、本実施の形態では、マイコン４２に使用するランプ点灯モード切替の閾値を、日付を含む時刻に応じて変更する。
【００５２】
図６に本発明の実施の形態２のマイコン４２における制御フローチャート図を示す。ステップＳ２１において、照度センサ７ａ、７ｂ、７ｃ、７ｄによって検出した各照度ＤＡＣ値Ｌａ、Ｌｂ，Ｌｃ，ＬｄのＤＡＣ値平均Ｌを求める。
【００５３】
ここで、平均値をとるのは、外乱により一部の照度センサのみが暗くなったり、明るくなっても、その影響を軽減できるためである。詳細は後ほど、図７を用いて説明する。
【００５４】
一方でステップＳ２２では、日付込みの時刻によって決定されるモード切替の閾値を求め、ステップＳ２３ではこの閾値と平均値照度Ｌとを比較し、Ｌが閾値より小さければ、ステップＳ２５の「１灯モード」へ、Ｌが閾値より大きければステップＳ２４の「２灯モード」へ遷移し、３１ａ、３１ｂの点灯状態を表すデジタルデータを光源制御部３７へ出力する。
【００５５】
図７は日付込み時刻と照度閾値の関係例を示した図である。図７（ａ）は６月１日〜８月３１日における時刻に応じた閾値変化、図７（ｂ）は３月１日〜５月３１日、９月１日〜１１月３０日における時刻に応じた閾値変化、図７（ｃ）は１２月１日〜２月２８日における時刻に応じた閾値変化のグラフである。
【００５６】
ここで、図７（ａ）を例にとって、日射、車のライト等の外乱が発生する環境においても適切なスクリーン輝度を保ち、画像の視認性低下を防止する手法を説明する。
【００５７】
本装置による表示画像は例えば、スクリーン面での照度が１０００ルクス以上であれば「２灯モード」、１０００ルクス以下であれば「１灯モード」が最適であるとの仮定のもと、話を進める。外乱の対策はこの閾値を時刻に応じて変化させることで改善できる。
【００５８】
図７（ａ）ではモードの切り替えの閾値である１０００ルクスを昼間（５時〜１９時）は８００ルクスに下げてある。このようにすることで外乱による視認性低下を以下のように防止することが可能である。
【００５９】
例えば、一部の照度センサのみが影になり、Ｌａ＝３００ルクス相当、Ｌｂ＝１０００ルクス相当、Ｌｃ＝１０００ルクス相当、Ｌｄ＝１０００ルクス相当になった場合を考える。この場合、照度センサ７ａ周辺が日陰、照度センサ７ｂ、７ｃ、７ｄ周辺が日射であることが予想され、スクリーンの大部分が日射を浴びて、１０００ルクスであると予想され、スクリーンを明るくするために、「２灯モード」に遷移することが望ましい。もし、照度センサが７ａの部分のみに取り付けられていた場合は、検出照度が１０００ルクスよりも低いため、「１灯モード」に遷移する。ここで、７ａ、７ｂ、７ｃ、７ｄの照度センサを用い、検出照度の平均値をとった場合においても、照度値の平均値をとると、８２５ルクスとなり、閾値１０００ルクスよりも低くなってしまう。そこで少し閾値を下げて８００ルクスに設定しておけば、このような状況においても「２灯モード」へ遷移する。このように、平均値をとり、閾値を調整することで、局所的な外乱による視認性低下を軽減することができる。
【００６０】
夜間（１９時〜翌日５時）については、閾値を１０００ルクスのままに設定している。なぜなら、例えば、街灯により照度センサ７ａのみの検出値が１０００ルクス相当、照度センサ７ｂ、７ｃ、７ｄの検出値がそれぞれ２０ルクス相当であるとすると、局所的に照度センサ７ａ周辺が明るくなったとしても照度センサ７ｂ、７ｃ、７ｄ周辺の照度が低いため、平均照度は２６５ルクスとなり、外乱によって閾値の１０００ルクスを越えることはほとんどないと考えられるからである。
【００６１】
このように、各照度センサの平均値をとり、時刻に応じて、閾値を調整することにより、外乱による視認性低下を防止することができる。
【００６２】
また、昼間、夜間の時間は日付により異なるため、図７（ｂ）、図７（ｃ）のように季節（日付）に応じて昼間と夜間の設定時間を変化させる。
【００６３】
これにより、年間を通じての日射時間の変化に応じてもスクリーン輝度を制御することができ、視認性を向上させることができる。また、夜間においては、外乱によって無駄にスクリーンの輝度を向上させることなく、夜間の消費電力を削減できる。
【００６４】
なお、本実施の形態においては、ライトバルブとして、光の進行方向を変調する反射型のライトバルブを使用しているが、光の偏光方向や散乱状態を変調するタイプのライトバルブや、液晶等の透過型ライトバルブのタイプを用いた場合でも同様の効果を発揮することができる。
【００６５】
また、時刻に応じて、照度の閾値を変えるだけでなく、画像の補正処理の度合いを変更してもよい。
【００６６】
また、各パターンの制御や照度の閾値は、表１の例の通りでなくとも、消費者が設置場所や使用用途に応じて各パターンの制御を任意に設定してもよい。
【００６７】
また、昼モードと夜モードなどの時間によるモードだけでなく、屋内モード、屋外モードのように設置環境に応じたモードを作ってもよい。
【００６８】
また、マイコン４２で算出した検出照度や時間やその処理結果は画像処理部４０にも適用し、表示画像のコントラスト、色度等を制御しても良い。
【００６９】
また、一つの照度センサによる検出値は一定時間の平均値を検出値としてもよい。
【産業上の利用可能性】
【００７０】
本発明は、例えば、屋外のように周囲の明るさの変化が大きい環境で使用する画像表示装置として有用である。
【符号の説明】
【００７１】
１  画像表示装置
２  筐体
２ａ、２ｂ、２ｃ、２ｄ  遮光フード
３  プロジェクタユニット
４  窓
５  ミラー
６  スクリーン
７ａ、７ｂ、７ｃ、７ｄ  照度センサ
８  筺体マイコンユニット
９  時計
３０  光合成部
３１ａ，３１ｂ  光源ランプ
３２  合成プリズム
３３  集光レンズ
３４  集光部
３５  表示デバイス部
３６  投写部
３７  光源制御部
３８  デバイス駆動部
３９  画像入力部
４０  画像処理部
４１  検出照度判別部
４２  マイコン
【図１】
2011069941.tif 000005
【図２】
2011069941.tif 000006
【図３】
2011069941.tif 000007
【図４】
2011069941.tif 000008
【図５】
2011069941.tif 000009
【図６】
2011069941.tif 000010
【図７】
2011069941.tif 000011